(57)【要約】      （修正有）【課題】映像信号を適切に補正することができる映像信号補正装置を提供する。【解決手段】映像コンテンツの映像信号と、映像コンテンツのコンテンツ情報と、を取得する取得部と、コンテンツ情報に含まれる最大フレーム平均輝度に基づいて、基準コード値ＤSを設定する設定部と、映像信号のコード値Ｄのうち、基準コード値ＤS以下のコード値Ｄが、１より大きい第１増加率で増加し、基準コード値ＤSより大きいコード値Ｄが、１より大きく且つ第１増加率より小さい第２増加率で増加するように、映像信号を補正する補正処理を行う補正部とを備えた。【選択図】図６
2019153957.tif 000002
【特許請求の範囲】
【請求項１】
映像コンテンツの映像信号と、前記映像コンテンツのコンテンツ情報と、を取得する取得部と、
前記コンテンツ情報に含まれる最大フレーム平均輝度に基づいて、基準コード値を設定する設定部と、
前記映像信号のコード値のうち、前記基準コード値以下のコード値が、１より大きい第１増加率で増加し、前記基準コード値より大きいコード値が、１より大きく且つ前記第１増加率より小さい第２増加率で増加するように、前記映像信号を補正する補正処理を行う補正部と、
を備えたことを特徴とする映像信号補正装置。
【請求項２】
前記取得部は、前記映像信号の前記コード値を輝度に変換するために用いられるＥＯＴＦの種類を示す種類情報をさらに取得し、
前記設定部は、前記コンテンツ情報に含まれる、前記映像信号の前記コード値を輝度に変換するために用いられるＥＯＴＦの種類を示す種類情報、に対応したＥＯＴＦの逆関数を用いて、前記最大フレーム平均輝度を前記コード値に変換した変換値を算出し、前記変換値に基づいて、前記基準コード値を設定することを特徴とする請求項１に記載の映像信号補正装置。
【請求項３】
前記設定部は、前記基準コード値を、前記変換値にコード係数を乗じた値に設定することを特徴とする請求項２に記載の映像信号補正装置。
【請求項４】
基準輝度を記憶する記憶部、をさらに備え、
前記設定部は、前記コンテンツ情報に前記最大フレーム平均輝度が含まれない場合に、前記基準コード値を、前記基準輝度に基づいて設定することを特徴とする請求項１ないし３のいずれか一項に記載の映像信号補正装置。
【請求項５】
前記映像信号が、ＨＤＲ信号であるかＳＤＲ信号であるかを判別する判別部、をさらに備え、
前記補正部は、前記映像信号がＨＤＲ信号であると判別された場合に、前記補正処理を行い、前記映像信号がＳＤＲ信号であると判別された場合に、前記補正処理を行わないことを特徴とする請求項１ないし４のいずれか一項に記載の映像信号補正装置。
【請求項６】
前記第１増加率は、前記コード値の値によらず、一定であることを特徴とする請求項１ないし５のいずれか一項に記載の映像信号補正装置。
【請求項７】
前記設定部は、前記コンテンツ情報に、前記映像コンテンツを構成する複数のフレームそれぞれの平均輝度であるフレーム平均輝度が含まれる場合に、前記基準コード値を、１以上の前記フレームが含まれる補正単位ごとに、前記補正単位に含まれる前記フレームに対応する前記フレーム平均輝度に基づいて設定し、
前記補正部は、前記補正単位ごとに、前記補正処理を行うことを特徴とする請求項１ないし６のいずれか一項に記載の映像信号補正装置。
【請求項８】
補正された前記映像信号の前記コード値を輝度に変換する輝度変換部、をさらに備えたことを特徴とする請求項１ないし７のいずれか一項に記載の映像信号補正装置。
【請求項９】
映像コンテンツの映像信号と、前記映像コンテンツのコンテンツ情報と、を取得するステップと、
前記コンテンツ情報に含まれる最大フレーム平均輝度に基づいて、基準コード値を設定するステップと、
前記映像信号のコード値のうち、前記基準コード値以下のコード値が、１より大きい第１増加率で増加し、前記基準コード値より大きいコード値が、１より大きく且つ前記第１増加率より小さい第２増加率で増加するように、前記映像信号を補正する補正処理を行うステップと、
を実行することを特徴とする映像信号補正方法。
【請求項１０】
プロセッサーに、
映像コンテンツのコンテンツ情報に含まれる最大フレーム平均輝度に基づいて、基準コード値を設定するステップと、
前記映像コンテンツの映像信号のコード値のうち、前記基準コード値以下のコード値が、１より大きい第１増加率で増加し、前記基準コード値より大きいコード値が、１より大きく且つ前記第１増加率より小さい第２増加率で増加するように、前記映像信号を補正する補正処理を行うステップと、
を実行させることを特徴とするプログラム。
【請求項１１】
プロセッサーに、
映像コンテンツのコンテンツ情報に含まれる最大フレーム平均輝度に基づいて、基準コード値を設定するステップと、
前記映像コンテンツの映像信号のコード値のうち、前記基準コード値以下のコード値が、１より大きい第１増加率で増加し、前記基準コード値より大きいコード値が、１より大きく且つ前記第１増加率より小さい第２増加率で増加するように、前記映像信号を補正する補正処理を行うステップと、
を実行させるプログラムを記憶したことを特徴とする記憶媒体。
【発明の詳細な説明】
【技術分野】
【０００１】
本発明は、映像信号を補正する映像信号補正装置、映像信号補正方法、プログラムおよび記憶媒体に関するものである。
【背景技術】
【０００２】
現行のモニターのなかには、例えばＨＤＲ（High Dynamic Range）映像信号のように、モニターの最大輝度を超える輝度が含まれる映像信号が入力した場合、映像信号のコード値を輝度に変換する際に、その映像信号の規格に定められたＥＯＴＦ（Electro-Optical Transfer Function）を用いると共に、変換後の輝度がモニターの最大輝度内に入るようにして、変換するものが多い（特許文献１参照）。また、現行のモニターのなかには、例えばＳＤＲ（Standard Dynamic Range）映像信号のように、輝度の最大値がモニターの最大輝度を下回る映像信号が入力した場合、映像信号のコード値を輝度に変換する際に、その映像信号の規格に定められたＥＯＴＦを用いると共に、コントラストを向上させるために、１００％Ｗｈｉｔｅがモニターの最大輝度になるようにして、変換するものが多い。
【先行技術文献】
【特許文献】
【０００３】
【特許文献１】国際公開第２０１７／０５１６１２号公報
【発明の概要】
【発明が解決しようとする課題】
【０００４】
このように、現行のモニターのなかには、モニターの最大輝度を超える輝度が含まれる映像信号が入力した場合には暗くなる方向に、輝度の最大値がモニターの最大輝度を下回る映像信号が入力した場合には明るくなる方向に、映像信号のコード値を輝度に変換するものが多い。その結果、モニターの最大輝度を超える輝度が含まれる映像信号が入力した際にモニターに表示される映像の輝度が、輝度の最大値がモニターの最大輝度を下回る映像信号が入力した際にモニターに表示される映像の輝度に比べ、小さくなる。そのため、モニターの最大輝度を超える輝度が含まれる映像信号が入力した際には、輝度の最大値がモニターの最大輝度を下回る映像信号が入力した際に比べ、モニターの画面が暗く見えてしまうおそれがある。
【０００５】
本発明は、映像信号を適切に補正することができる映像信号補正装置、映像信号補正方法、プログラムおよび記憶媒体を提供することを課題としている。
【課題を解決するための手段】
【０００６】
本発明の映像信号補正装置は、映像コンテンツの映像信号と、映像コンテンツのコンテンツ情報と、を取得する取得部と、コンテンツ情報に含まれる最大フレーム平均輝度に基づいて、基準コード値を設定する設定部と、映像信号のコード値のうち、基準コード値以下のコード値が、１より大きい第１増加率で増加し、基準コード値より大きいコード値が、１より大きく且つ第１増加率より小さい第２増加率で増加するように、映像信号を補正する補正処理を行う補正部と、を備えたことを特徴とする。
【０００７】
本発明の映像信号補正方法は、映像コンテンツの映像信号と、映像コンテンツのコンテンツ情報と、を取得するステップと、コンテンツ情報に含まれる最大フレーム平均輝度に基づいて、基準コード値を設定するステップと、映像信号のコード値のうち、基準コード値以下のコード値が、１より大きい第１増加率で増加し、基準コード値より大きいコード値が、１より大きく且つ第１増加率より小さい第２増加率で増加するように、映像信号を補正する補正処理を行うステップと、を実行することを特徴とする。
【０００８】
本発明のプログラムは、プロセッサーに、映像コンテンツのコンテンツ情報に含まれる最大フレーム平均輝度に基づいて、基準コード値を設定するステップと、映像コンテンツの映像信号のコード値のうち、基準コード値以下のコード値が、１より大きい第１増加率で増加し、基準コード値より大きいコード値が、１より大きく且つ第１増加率より小さい第２増加率で増加するように、映像信号を補正する補正処理を行うステップと、を実行させることを特徴とする。
【０００９】
本発明の記憶媒体は、プロセッサーに、映像コンテンツのコンテンツ情報に含まれる最大フレーム平均輝度に基づいて、基準コード値を設定するステップと、映像コンテンツの映像信号のコード値のうち、基準コード値以下のコード値が、１より大きい第１増加率で増加し、基準コード値より大きいコード値が、１より大きく且つ第１増加率より小さい第２増加率で増加するように、映像信号を補正する補正処理を行うステップと、を実行させるプログラムを記憶したことを特徴とする。
【図面の簡単な説明】
【００１０】
【図１】本発明の一実施形態に係るディスクプレーヤーの構成を示すブロック図である。
【図２】ＨＤＲ規格で定められたＥＯＴＦおよびＳＤＲ規格で定められたＥＯＴＦの例を示すグラフである。
【図３】モニターがＨＤＲ信号に対して用いるＥＯＴＦおよびＳＤＲ信号に対して用いるＥＯＴＦの例を示すグラフである。
【図４】補正前のコード値と補正後のコード値との関係を示すグラフである。
【図５】光ディスクに記録された映像信号のコード値とモニターで変換された輝度との関係を示すグラフである。
【図６】ディスクプレーヤーが映像信号をモニターに出力する一連の処理の流れを示すフローチャートである。
【図７】本発明の一実施形態に係るディスクプレーヤー内蔵モニターの構成を示すブロック図である。
【図８】本発明の一実施形態に係るＡＶアンプの構成を示すブロック図である。
【図９】本発明の一実施形態に係るメディアプレーヤーの構成を示すブロック図である。
【図１０】補正前のコード値と補正後のコード値との関係を示すグラフである。
【発明を実施するための形態】
【００１１】
以下、本発明の映像信号補正装置、映像信号補正方法、プログラムおよび記憶媒体の一実施形態について説明する。本実施形態では、映像信号補正装置の一例であるディスクプレーヤーを例に挙げて説明する。
【００１２】
図１に基づいて、ディスクプレーヤー１について説明する。ディスクプレーヤー１は、光ディスク１００から読み出した映像信号を、モニター２に出力する。
【００１３】
ディスクプレーヤー１は、再生部１１と、映像処理部１２と、信号出力部１３と、操作部１４と、ＣＰＵ１５（Central Processing Unit）と、ＲＯＭ１６（Read Only Memory）と、ＲＡＭ１７（Random Access Memory）と、これらを相互に接続する内部バス２０とを備えている。
【００１４】
再生部１１は、光ディスク１００から映像コンテンツの映像信号およびコンテンツ情報を読み出し、これらを取得する。再生部１１は、本発明の「取得部」の一例である。なお、光ディスク１００としては、例えば、ＤＶＤ、Blu-ray Disc、Ultra HD Blu-rayなどを用いることができる。
【００１５】
コンテンツ情報には、属性情報が含まれる。属性情報とは、映像信号がＨＤＲ（High Dynamic Range）信号であるかＳＤＲ（Standard Dynamic Range）信号であるかを示す情報である。さらに、映像信号がＨＤＲ信号である場合、コンテンツ情報には、種類情報および最大フレーム平均輝度Ｍmaxが含まれる。種類情報とは、映像信号のコード値Ｄを輝度Ｌに変換するために用いられるＥＯＴＦ（Electro-Optical Transfer Function）の種類を示す。ＨＤＲ規格に定められたＥＯＴＦの種類には、ＰＱ（Perceptual Quantization）方式、ＨＬＧ（Hybrid Log-Gamma）方式などがある。最大フレーム平均輝度Ｍmaxとは、フレーム平均輝度Ｍ、すなわち映像コンテンツを構成する複数のフレームそれぞれの平均輝度、の最大値である。
【００１６】
映像処理部１２は、再生部１１から出力された映像信号に対して、各種処理を行う。映像処理部１２の各機能部については、後述する。
【００１７】
信号出力部１３は、映像処理部１２から出力された映像信号に対して、再生部１１により取得されたコンテンツ情報を埋め込み、モニター２に出力する。
【００１８】
操作部１４は、ユーザーによる操作を受け付ける。操作部１４には、ディスクプレーヤー１の筐体に設けられた操作ボタン、およびリモートコントローラーからの赤外線等を受光する受光部が含まれる。ＲＯＭ１６には、後述する映像信号補正プログラム等の制御プログラムが記憶されている。ＲＡＭ１７は、ＣＰＵ１５のワークエリアとして機能する。ＣＰＵ１５は、操作部１４からの操作入力や各部からの制御信号およびデータに基づいて、ＲＡＭ１７を用いてＲＯＭ１６に記憶されている制御プログラムを実行し、ディスクプレーヤー１の各部を制御する。なお、ＣＰＵ１５は、本発明の「プロセッサー」の一例である。また、ＲＯＭ１６は、本発明の「記憶部」の一例である。
【００１９】
モニター２は、ディスクプレーヤー１から出力された映像信号に基づいて、映像を表示する。なお、モニター２としては、例えば、液晶ディスプレー、有機ＥＬ（electroluminescence）ディスプレー、プロジェクターなどを用いることができる。
【００２０】
図２に示すように、モニター２の最大輝度Ｌmaxは、通常、５００ｎｉｔ（ｃｄ／ｍ2）以上１，０００ｎｉｔ以下であり、本実施形態では、例えば、７００ｎｉｔである。これに対し、ＨＤＲ規格に定められたＥＯＴＦの最大輝度規格値ＧHは、例えば１０，０００ｎｉｔであり、ＳＤＲ規格に定められたＥＯＴＦの最大輝度規格値ＧSは、例えば１００ｎｉｔである。このため、ＨＤＲ信号が入力した場合には、モニター２の最大輝度Ｌmaxを超える輝度Ｌの映像信号が入力することになる。一方、ＳＤＲ信号が入力した場合には、モニター２の最大輝度Ｌmaxを下回る輝度Ｌの映像信号が入力することになる。
【００２１】
図３は、モニター２がＨＤＲ信号に対して用いるＥＯＴＦおよびＳＤＲ信号に対して用いるＥＯＴＦの例を示すグラフである。モニター２は、ＨＤＲ信号が入力した場合には、ＨＤＲ規格に定められたＥＯＴＦを用いると共に、補正後の輝度Ｌがモニター２の最大輝度Ｌmax内に入るように、映像信号のコード値Ｄを輝度Ｌに変換する。また、モニター２は、ＳＤＲ信号が入力した場合には、ＳＤＲ規格に定められたＥＯＴＦを用いると共に、コントラストを向上させるために、１００％Ｗｈｉｔｅがモニター２の最大輝度Ｌmaxになるように、映像信号のコード値Ｄを輝度Ｌに変換する。このように、モニター２は、ＨＤＲ信号が入力した場合には暗くなる方向に、ＳＤＲ信号が入力した場合には明るくなる方向に、映像信号のコード値Ｄを輝度Ｌに変換する。
【００２２】
その結果、ＨＤＲ信号が入力した際にモニター２に表示される映像の輝度Ｌが、ＳＤＲ信号が入力した際にモニター２に表示される映像の輝度Ｌに比べ、小さくなる。そのため、ＨＤＲ信号が入力した際には、ＳＤＲ信号が入力した際に比べ、モニター２の画面が暗く見えてしまうおそれがある。
【００２３】
そこで、本実施形態のディスクプレーヤー１は、ＨＤＲ信号が入力した場合には、コード値Ｄが増加するように映像信号を補正し、補正した映像信号をモニター２に出力するようになっている。
【００２４】
図１に戻り、映像処理部１２の機能構成について説明する。映像処理部１２は、判別部１２１と、設定部１２２と、補正部１２３とを備えている。なお、判別部１２１、設定部１２２および補正部１２３は、ハードウェアによって実現されてもよいし、ＣＰＵ１５が映像信号補正プログラムを実行することにより実現されてもよい。この映像信号補正プログラムは、本発明の「プログラム」の一例である。
【００２５】
判別部１２１は、再生部１１により取得された映像信号が、ＨＤＲ信号であるかＳＤＲ信号であるかを判別する。判別部１２１は、例えば、再生部１１により取得されたコンテンツ情報に含まれる属性情報に基づいて、映像信号がＨＤＲ信号であるかＳＤＲ信号であるかを判別する。
【００２６】
設定部１２２は、コンテンツ情報に含まれる最大フレーム平均輝度Ｍmaxに基づいて、基準コード値ＤSを設定する。すなわち、設定部１２２は、コンテンツ情報に含まれる種類情報に対応したＥＯＴＦの逆関数を用いて、最大フレーム平均輝度Ｍmaxをコード値Ｄに変換することにより、変換値Ｆmaxを算出する。例えば、設定部１２２は、取得された種類情報が、ＰＱ方式を示す場合には、ＰＱ方式の規格が定めるＥＯＴＦの逆関数を用いて、最大フレーム平均輝度Ｍmaxをコード値Ｄに変換することにより、変換値Ｆmaxを算出する。さらに、設定部１２２は、式（１）に示すように、基準コード値ＤSを、変換値Ｆmaxにコード係数ａを乗じた値に設定する。
ＤS＝ａ×Ｆmax    （１）
なお、コード係数ａの値は、特に限定されないが、０．９以上１．３以下であることが好ましく、１．０以上１．２以下であることがより好ましい。
【００２７】
この基準コード値ＤSは、画面上で部分的に明るい箇所（例えば、星空の映像における星の箇所）を除き、画面上のほとんどの箇所のコード値Ｄが、基準コード値ＤS以下となるような値である。すなわち、基準コード値ＤS以下のコード値Ｄは、使用頻度が高く、基準コード値ＤSより大きいコード値Ｄは、使用頻度が低いといえる。
【００２８】
また、設定部１２２は、コンテンツ情報に最大フレーム平均輝度Ｍmaxが含まれていない場合には、最大フレーム平均輝度Ｍmaxの代わりに、例えばＲＯＭ１６に記憶されている基準輝度ＬSに基づいて、基準コード値ＤSを設定する。基準輝度ＬSとしては、例えば、BDA Authoring Guidelineで推奨されているフレーム平均輝度Ｍの最大値である「４００」を用いることができる。ここで、コンテンツ情報に最大フレーム平均輝度Ｍmaxが含まれていない場合とは、コンテンツ情報に含まれる最大フレーム平均輝度Ｍmaxの値が０となっている場合を含む概念である。
【００２９】
補正部１２３が行う映像信号の補正処理について説明する。補正部１２３は、映像信号のコード値Ｄのうち、基準コード値ＤS以下のコード値Ｄが、第１増加率Ｒ1で増加し、基準コード値ＤSより大きいコード値Ｄが、第２増加率Ｒ2で増加するようにして、映像信号を補正する補正処理を行う。すなわち、基準コード値ＤS以下のコード値Ｄについては、補正後のコード値Ｄ´は、補正前のコード値Ｄに第１増加率Ｒ1を掛けた値となる（Ｄ´＝Ｒ1×Ｄ）。同様に、基準コード値ＤSより大きいコード値Ｄについては、補正後のコード値Ｄ´は、補正前のコード値Ｄに第２増加率Ｒ2を掛けた値となる（Ｄ´＝Ｒ2×Ｄ）。
【００３０】
より具体的には、図４に示すように、補正部１２３は、基準コード値ＤS以下のコード値Ｄについては、式（２）に示すように、補正後のコード値Ｄ´が、補正前のコード値Ｄに増加定数ｂを乗じた値となるように、映像信号を補正する。
Ｄ´＝ｂ×Ｄ  （ただし、Ｄ≦ＤS）    （２）
なお、増加定数ｂの値は、１より大きい値であれば特に限定されないが、１．３以下であることが好ましく、１．２以下であることがより好ましい。
【００３１】
ここで、図４において、Ｄ≦ＤSの範囲では、式（２）のグラフが直線Ｄ´＝Ｄよりも上方に位置する（Ｄ´の値が大きい）ことから、第１増加率Ｒ1は、１より大きいことがわかる。より具体的には、第１増加率Ｒ1は、Ｄ´／Ｄで与えられることから、第１増加率Ｒ1は、増加定数ｂと等しい。すなわち、第１増加率Ｒ1は、コード値Ｄの値によらず、一定の値である。
【００３２】
一方、補正部１２３は、基準コード値ＤSより大きいコード値Ｄについては、式（３）に基づいて、映像信号を補正する。
Ｄ´＝｛（Ｓmax−ｂ×ＤS）／（Ｓmax−ＤS）｝×（Ｄ−ＤS）＋ｂ×ＤS  （ただし、Ｄ＞ＤS）    （３）
なお、式（３）において、Ｓmaxは、ＨＤＲ規格に定められた最大輝度規格値ＧHに相当するコード値Ｄの値を意味し、種類情報に基づいて設定される。
【００３３】
ここで、図４において、Ｄ＞ＤSの範囲では、式（３）のグラフにおけるＤ´の値が、直線Ｄ´＝ＤにおけるＤ´の値よりも大きく、且つ直線Ｄ´＝ｂ×ＤにおけるＤ´の値より小さいことから、第２増加率Ｒ2は、１より大きく且つ第１増加率Ｒ1（＝ｂ）よりも小さいことがわかる。
【００３４】
また、補正部１２３は、映像信号のコード値Ｄが、大きい値のコード値Ｄほど補正後のコード値Ｄ´の値が大きくなるように、映像信号を補正する。すなわち、補正部１２３は、補正後のコード値Ｄ´をＤ´＝ｆ（Ｄ）と表した場合に、Ｄ1＜Ｄ2ならば、ｆ（Ｄ1）＜ｆ（Ｄ2）となるように、映像信号を補正する。このため、補正により、コード値Ｄの大小関係が逆転したり、コード値Ｄが一定となったりすることがない。したがって、例えば、暗く表示されるべき箇所が明るく表示されるべき箇所よりも明るく表示されたり、暗く表示されるべき箇所と明るく表示されるべき箇所とが同じ明るさで表示されたりすることがない。なお、式（２）においてＤ＝ＤSを代入した場合に得られる値Ｄ´＝ＤSは、式（３）においてＤ＝ＤSを代入した場合に得られる値Ｄ´＝ＤSと同じである。すなわち、式（２）で表されるグラフと、式（３）で表されるグラフとは、連続している。このため、基準コード値ＤSの前後で画像に違和感が生じることなく、補正することができる。
【００３５】
図５は、本実施形態のディスクプレーヤー１からモニター２へ映像信号が出力された場合に、光ディスク１００に記録された映像信号のコード値Ｄ（補正前のコード値Ｄ）と、モニター２で変換された輝度Ｌとの関係を示すグラフである。上述したように、映像信号がＨＤＲ信号である場合には、モニター２には、ディスクプレーヤー１によりコード値Ｄが増加するように補正された映像信号が入力する。このため、図５を図３と比較してわかるように、ＨＤＲ信号が入力した際にモニター２に表示される映像の輝度Ｌと、ＳＤＲ信号が入力した際にモニター２に表示される映像の輝度Ｌとの相対関係が改善される。
【００３６】
図６に基づいて、ディスクプレーヤー１が映像信号をモニター２に出力する一連の処理の流れについて説明する。再生部１１は、ステップＳ１において、光ディスク１００から映像信号およびコンテンツ情報を取得する。ステップＳ２において、判別部１２１は、取得された映像信号が、ＨＤＲ信号であるかＳＤＲ信号であるかを判別する。映像信号がＨＤＲ信号であると判別された場合には、ステップＳ３に進む。一方、映像信号がＳＤＲ信号であると判別された場合には、ステップＳ７に進む。
【００３７】
ステップＳ３において、設定部１２２は、コンテンツ情報に最大フレーム平均輝度Ｍmaxが入っているか否かを判断する。コンテンツ情報に最大フレーム平均輝度Ｍmaxが入っていると判断された場合には（Ｓ３；Ｙｅｓ）、ステップＳ４に進む。一方コンテンツ情報に最大フレーム平均輝度Ｍmaxが入っていないと判断された場合には（Ｓ３；Ｎｏ）、ステップＳ５に進む。
【００３８】
ステップＳ４において、設定部１２２は、最大フレーム平均輝度Ｍmaxに基づいて、基準コード値ＤSを設定する。一方、ステップＳ５において、設定部１２２は、基準輝度ＬSに基づいて、基準コード値ＤSを設定する。
【００３９】
ステップＳ６において、補正部１２３は、上記の補正処理を実行する。ステップＳ７において、信号出力部１３は、映像信号をモニター２に出力する。すなわち、信号出力部１３は、映像信号がＨＤＲ信号である場合には、補正部１２３による上記の補正処理が行われた映像信号を、モニター２に出力する。一方、信号出力部１３は、映像信号がＳＤＲ信号である場合には、補正部１２３による上記の補正処理が行われていない映像信号を、モニター２に出力する。
【００４０】
以上のように、本実施形態のディスクプレーヤー１は、再生部１１と、設定部１２２と、補正部１２３とを備えている。再生部１１は、映像コンテンツの映像信号と、映像コンテンツのコンテンツ情報とを取得する。設定部１２２は、コンテンツ情報に含まれる最大フレーム平均輝度Ｍmaxに基づいて、基準コード値ＤSを設定する。補正部１２３は、映像信号のコード値Ｄのうち、基準コード値ＤS以下のコード値Ｄが、１より大きい第１増加率Ｒ1で増加し、基準コード値ＤSより大きいコード値Ｄが、１より大きく且つ第１増加率Ｒ1より小さい第２増加率Ｒ2で増加するように、映像信号を補正する補正処理を行う。
【００４１】
この構成によれば、映像信号のコード値Ｄのうち、基準コード値ＤS以下のコード値Ｄ（すなわち、使用頻度の高いコード値Ｄ）が、第１増加率Ｒ1で増加し、基準コード値ＤSより大きいコード値Ｄ（すなわち、使用頻度の低いコード値Ｄ）が、第１増加率Ｒ1よりも小さい第２増加率Ｒ2で増加する。これにより、映像信号を適切に補正することができる。すなわち、仮に、基準コード値ＤSよりも小さい値ｍ以下のコード値Ｄが第１増加率Ｒ1で増加し、値ｍより大きいコード値Ｄが第２増加率Ｒ2で増加する場合に比べ、使用頻度の高い、値ｍから基準コード値ＤSまでの範囲のコード値Ｄを、効果的に増加させることができる。また、仮に、基準コード値ＤSよりも大きい値ｎ以下のコード値Ｄが第１増加率Ｒ1で増加し、値ｎより大きいコード値Ｄが第２増加率Ｒ2で増加する場合に比べ、第１増加率Ｒ1を大きくすることができ、改善効果を大きくすることができる。
【００４２】
また、本実施形態のディスクプレーヤー１では、設定部１２２が、コンテンツ情報に含まれる種類情報に対応したＥＯＴＦの逆関数を用いて、最大フレーム平均輝度Ｍmaxをコード値Ｄに変換した変換値Ｆmaxを算出し、算出した変換値Ｆmaxに基づいて、基準コード値ＤSを設定する。この構成によれば、ＥＯＴＦの種類に適した基準コード値ＤSを設定することができる。
【００４３】
また、本実施形態のディスクプレーヤー１では、設定部１２２が、基準コード値ＤSを、変換値Ｆmaxにコード係数ａを乗じた値に設定する。この構成によれば、基準コード値ＤSを最適化することができる。
【００４４】
また、本実施形態のディスクプレーヤー１は、基準輝度ＬSを記憶したＲＯＭ１６を備える。設定部１２２は、コンテンツ情報に最大フレーム平均輝度Ｍmaxが含まれない場合に、基準コード値ＤSを、基準輝度ＬSに基づいて設定する。この構成によれば、コンテンツ情報に最大フレーム平均輝度Ｍmaxが含まれない場合にも、基準コード値ＤSを適切に設定することができる。
【００４５】
また、本実施形態のディスクプレーヤー１は、映像信号がＨＤＲ信号であるかＳＤＲ信号であるかを判別する判別部１２１をさらに備える。補正部１２３は、映像信号がＨＤＲ信号であると判別された場合に、補正処理を行い、映像信号がＳＤＲ信号であると判別された場合に、補正処理を行わない。この構成によれば、モニター２により、暗くなる方向にコード値Ｄが輝度Ｌに変換されるＨＤＲ信号に対しては、輝度Ｌが増加するように補正処理が行われ、明るくなる方向にコード値Ｄが輝度Ｌに変換されるＳＤＲ信号に対しては、補正処理が行われない。このため、ＨＤＲ信号が入力した際にモニター２に表示される映像の輝度Ｌと、ＳＤＲ信号が入力した際にモニター２に表示される映像の輝度Ｌとの相対関係を、改善することができる。
【００４６】
本発明は、本実施形態に限定されず、その趣旨を逸脱しない範囲で種々の構成を採用可能であることは言うまでもない。例えば、本実施形態は、上述したほか、以下のような形態に変更することができる。
【００４７】
設定部１２２は、例えばダイナミックＨＤＲ信号のように、コンテンツ情報にフレーム平均輝度Ｍが含まれる場合に、基準コード値ＤSを、１以上のフレームが含まれる補正単位ごとに、補正単位に含まれるフレームに対応するフレーム平均輝度Ｍに基づいて設定してもよい。この場合、補正部１２３は、補正単位ごとに、上記の補正処理を行うことが好ましい。ここで、「補正単位ごと」とは、例えば、フレームごとでもよく、シーンごとでもよい。この構成によれば、例えばフレームごとやシーンごとに基準コード値ＤSが設定されるため、各フレームや各シーンに適した基準コード値ＤSに基づいて、補正処理を行うことができる。
【００４８】
図７に示すように、ディスクプレーヤー１に代えて、ディスクプレーヤー内蔵モニター３を用いてもよい。ディスクプレーヤー内蔵モニター３は、ディスクプレーヤー１の各構成要素のうち、信号出力部１３に代えて、輝度変換部１８および表示部２１をさらに備えている。輝度変換部１８は、例えば、コンテンツ情報に含まれる種類情報に対応したＥＯＴＦに基づいて、コード値Ｄを輝度Ｌに変換し、変換した輝度Ｌを表示部２１に出力する。表示部２１は、輝度変換部１８から出力された輝度Ｌに基づいて、映像を表示する。輝度変換部１８に代えて、表示部２１が、コード値Ｄを輝度Ｌに変換してもよい。なお、表示部２１としては、モニター２と同様に、例えば、液晶ディスプレー、有機ＥＬディスプレー、プロジェクターなどを用いることができる。
【００４９】
図８に示すように、本発明の「映像信号補正装置」は、本実施形態のディスクプレーヤー１のようなソース機器に限定されず、ＡＶアンプ４等のリピーター機器であってもよい。ＡＶアンプ４は、ディスクプレーヤー１の各構成要素のうち、再生部１１に代えて、信号受信部１９を備えている。信号受信部１９は、本発明の「取得部」の一例であり、ディスクプレーヤー１ａ等のソース機器から出力された映像信号およびコンテンツ情報を取得する。なお、ディスクプレーヤー１ａは、本実施形態のディスクプレーヤー１とは異なり、上記の補正処理を行うものではない。また、本発明の「取得部」は、フラッシュメモリー等の記憶媒体から映像信号およびコンテンツ情報を取得する構成でもよい。
【００５０】
図９に示すように、本発明は、メディアプレーヤー５にも適用可能である。メディアプレーヤー５は、ＬＡＮ（Local Area Network）などのネットワークＮＷを介して、パソコン、スマートフォンなどの外部装置６と通信可能に接続されている。メディアプレーヤー５と外部装置６との通信形態としては、無線および有線のいずれでもよい。メディアプレーヤー５は、ディスクプレーヤー１の各構成要素のうち、再生部１１に代えて、信号受信部１９を備えている。信号受信部１９は、本発明の「取得部」の一例であり、ネットワークＮＷを介して外部装置６から映像信号を受信する。
【００５１】
補正部１２３は、式（２）および式（３）に基づいて、映像信号を補正する構成に限定されるものではなく、例えば、図１０に示すように、式（２）に代えて式（４）を用い、式（４）および式（３）に基づいて、映像信号を補正してもよい。
Ｄ´＝ｂ×｛ＤS×（Ｄ／ＤS）γ｝  （ただし、Ｄ≦ＤS）    （４）
なお、式（４）において、γは、０＜γ＜１を満たす定数である。
【００５２】
ここで、図１０において、Ｄ≦ＤSの範囲では、式（４）のグラフにおけるＤ´の値が、直線Ｄ´＝ＤにおけるＤ´の値よりも大きいことから、第１増加率Ｒ1は、１より大きいことがわかる。また、式（４）から明らかなように、第１増加率Ｒ1は、コード値Ｄによらず一定である必要はなく、コード値Ｄにより変動してもよい。換言すれば、Ｄ≦ＤSの範囲において、Ｄ´がＤに比例する必要はない。なお、Ｄ＞ＤSの範囲においても、Ｄ´がＤの一次関数で表される必要はない。また、図１０に示したグラフにおいても、式（４）においてＤ＝ＤSを代入した場合に得られる値Ｄ´＝ＤSは、式（３）においてＤ＝ＤSを代入した場合に得られる値Ｄ´＝ＤSと同じである。すなわち、式（４）で表されるグラフと、式（３）で表されるグラフとは、連続している。このため、基準コード値ＤSの前後で画像に違和感が生じることなく、補正することができる。
【００５３】
設定部１２２は、最大フレーム平均輝度Ｍmaxを、種類情報に対応したＥＯＴＦの逆関数を用いてコード値Ｄに変換する構成に限定されるものではなく、例えば、所定のＥＯＴＦの逆関数を用いてもよい。上記の変形例におけるフレーム平均輝度Ｍについても同様である。
【００５４】
設定部１２２は、基準コード値ＤSを、変換値Ｆmaxにコード係数ａを乗じた値に設定する構成に限定されるものではない。例えば、設定部１２２は、変換値Ｆmaxに所定の値を加算或いは減算することにより基準コード値ＤSを設定してもよく、変換値Ｆmaxをそのまま基準コード値ＤSとして設定してもよい。
【００５５】
本実施形態では、ＨＤＲ信号を例に説明したが、これに限定されるものではなく、モニター２の最大輝度Ｌmaxを超える輝度Ｌが含まれる映像信号であれば、本発明を適用可能である。同様に、ＳＤＲ信号についても、これに限定されるものではなく、輝度Ｌの最大値がモニター２の最大輝度Ｌmaxを下回る映像信号であれば、本発明を適用可能である。
【００５６】
本発明の「プログラム」を、コンピューターで読取り可能な記憶媒体に格納して提供してもよい。記憶媒体としては、例えば、ＣＤ−ＲＯＭ、フラッシュメモリー等を用いることができる。
【符号の説明】
【００５７】
１…ディスクプレーヤー、２…モニター、３…ＡＶアンプ、１１…再生部、１２…映像処理部、１３…信号出力部、１４…操作部、１５…ＣＰＵ、１６…ＲＯＭ、１７…ＲＡＭ、１８…輝度変換部、１９…信号受信部、２０…内部バス、１００…光ディスク、１２１…判別部、１２２…設定部、１２３…補正部
【図１】
2019153957.tif 000003
【図２】
2019153957.tif 000004
【図３】
2019153957.tif 000005
【図４】
2019153957.tif 000006
【図５】
2019153957.tif 000007
【図６】
2019153957.tif 000008
【図７】
2019153957.tif 000009
【図８】
2019153957.tif 000010
【図９】
2019153957.tif 000011
【図１０】
2019153957.tif 000012